(57)【要約】      （修正有）【課題】ドアの開閉状態にかかわらず、外観が悪化することを防止する。【解決手段】収容孔５を備えた筐体７と、筐体７に設けられ収容孔５の内部に収容された位置である収容位置と収容孔５から突出した位置である突出位置ＰＳａとの間を移動する移動体９と、収容孔５を閉じるためのドア１１と、収容孔５を閉じる閉位置と収容孔５を開ける第１の開位置との間でドア１１がほぼ平行移動をするように、ドア１１を支持するドア支持機構とを有するドア装置３である。【選択図】図２
2011253581.tif 000002
【特許請求の範囲】
【請求項１】
収容孔を備えた筐体と、
前記筐体に設けられ、前記収容孔の内部に収容された位置である収容位置と前記収容孔から突出した位置である突出位置との間を移動する移動体と、
前記収容孔を閉じるためのドアと、
前記収容孔を閉じる閉位置と前記収容孔を開ける第１の開位置との間で前記ドアがほぼ平行移動をするように、前記ドアを支持するドア支持機構と、
を有することを特徴とするドア装置。
【請求項２】
請求項１に記載のドア装置において、
前記ドア支持機構は、前記閉位置と前記第１の開位置よりも前記筐体の収容孔寄りの位置である第２の開位置との間で、前記移動体の移動に応じて前記ドアが自動的に開閉するように、前記ドアを支持する機構であることを特徴とするドア装置。
【請求項３】
請求項１または請求項２に記載のドア装置において、
前記ドア支持機構は、前記ドアが前記第１の開位置に位置しているとき前記ドアが停止するように、前記ドアを支持する機構であることを特徴とするドア装置。
【請求項４】
請求項１から３に記載のドア装置において、
前記ドア支持機構は、
第１のメンバと、
前記筐体と前記ドアと前記第１のメンバとともに、前記ドアが前記ドアの重量及び前記各メンバのうちの少なくともいずれかのメンバを付勢する第２の付勢部材の少なくともいずれか一方により前記閉位置から前記第１の開位置に向かう付勢がされる平行リンク機構もしくは平行リンク機構に近似したリンク機構を構成している第２のメンバと、
前記ドアが前記収容孔を閉じるように、前記各メンバのうちの少なくともいずれかのメンバを付勢する第１の付勢部材と、
を備えて構成されていることを特徴とするドア装置。
【請求項５】
請求項４に記載のドア装置において、
前記ドアとの係合部と前記筐体との係合部との間に位置している前記メンバの部位が、前記ドアの中央部側に凸になるように屈曲していることを特徴とするドア装置。
【請求項６】
請求項４または請求項５に記載のドア装置において、
前記移動体に設けられているドア用当接部が、前記ドアに設けられている移動体用当接部に当接して、前記移動体で前記ドアを押すことにより前記ドアが自動的に開くように構成されており、
前記ドア用当接部は、斜面で構成されており、
前記移動体用当接部は、この移動体用当接部が前記ドア用当接部に当接するときに、前記ドア用当接部の斜面に対向する斜面で構成されており、
前記第１のメンバにおける筐体との係合部と前記第１のメンバにおけるドアとの係合部とをお互いに結ぶ直線と、前記移動体の移動方向との交差角度は、前記移動体が前記収容位置から前記突出位置側に向かうにしたがって次第に小さくなるように構成されており、
前記ドア用当接部の斜面、前記移動体用当接部の斜面のうちの少なくとも一方の斜面は、傾斜角度が変化していることを特徴とするドア装置。
【請求項７】
請求項１〜請求項６のいずれか１項に記載のドア装置を有することを特徴とする電子機器。
【発明の詳細な説明】
【技術分野】
【０００１】
本発明は、ドア装置および電子機器に係り、たとえば、ＤＶＤ等を載置するトレイ用の収容孔を塞ぐためのドアを開閉するドア装置およびこのドア装置を備えた電子機器に関する。
【背景技術】
【０００２】
従来、筐体の前面に、ディスクを載置するトレイを保護・遮蔽するドアを設け、また、カードスロットを保護・遮蔽するドアを別に設けた構成のＤＶＤレコーダ等の電子機器が知られている。これらのドアは、ドアの一端部に位置している中心軸を中心にして回動し、トレイやカードスロットの設けられている部位を開閉するようになっている。
【０００３】
また、トレイを保護・遮蔽するドアは、トレイの出入りに連動して開閉するようになっており、カードスロットを保護・遮蔽するドアは、ユーザが手動で開閉するようになっている。
【０００４】
上記従来のＤＶＤレコーダ等の電子機器は、ドアが複数設けられているので、デザイン上の制限が生じたり、部品点数が増えて構成が煩雑になり、コストが上昇するという弊害がある。
【０００５】
そこで、筐体の前面に、トレイを保護・遮蔽するとともにカードスロットを保護・遮蔽する大型のドアを１枚設けた方式を考えることができる。上記大型のドアは、たとえば、このドアの下端部で水平方向に延びている中心軸を中心にして回動し、開閉をするようになっている。
【０００６】
なお、上記従来の技術に関連する特許文献として、たとえば、特許文献１を掲げることができる。
【先行技術文献】
【特許文献】
【０００７】
【特許文献１】特開２００５−２９３６３２号公報
【発明の概要】
【発明が解決しようとする課題】
【０００８】
ところで、上記大型のドアを備えたＤＶＤレコーダ等の電子機器では、ドアを閉じている状態とドアを開けている状態とで外見が大きく異なり、ドアを開いている状態で外観が悪化してしまうという問題がある。
【０００９】
本発明は、上記問題点に鑑みてなされたものであり、ドアの開閉状態にかかわらず、外観が悪化することを防止することができるドア装置および電子機器を提供することを目的とする。
【課題を解決するための手段】
【００１０】
第１の発明は、収容孔（５）を備えた筐体（７）と、前記筐体（７）に設けられ、前記収容孔の内部に収容された位置である収容位置（ＰＳ０）と前記収容孔から突出した位置である突出位置（ＰＳａ）との間を移動する移動体（９）と、前記収容孔を閉じるためのドア（１１）と、前記収容孔（５）を閉じる閉位置（Ｐ０）と前記収容孔（５）を開ける第１の開位置（Ｐ１）との間で前記ドアがほぼ平行移動をするように、前記ドアを支持するドア支持機構（１３）とを有するドア装置（３）である。
【００１１】
第２の発明は、第１の発明のドア装置において、前記ドア支持機構（１３）は、前記閉位置（Ｐ０）と前記第１の開位置（Ｐ１）よりも前記筐体の収容孔寄りの位置である第２の開位置（Ｐ２）との間で、前記移動体の移動に応じて前記ドアが自動的に開閉するように、前記ドアを支持する機構であるドア装置である。
【００１２】
第３の発明は、第１または第２の発明のドア装置において、前記ドア支持機構（１３）は、前記ドアが前記第１の開位置（Ｐ１）に位置しているとき前記ドアが停止するように、前記ドア（１１）を支持する機構であるドア装置である。
【００１３】
第４の発明は、第１から第３の発明のドア装置において、前記ドア支持機構（１３）は、第１のメンバ（１５）と、前記筐体（７）と前記ドア（１１）と前記第１のメンバ（１５）とともに、前記ドア（１１）が前記ドアの重量及び前記各メンバのうちの少なくともいずれかのメンバを付勢する第２の付勢部材（２３）の少なくともいずれか一方により前記閉位置（Ｐ０）から前記第１の開位置（Ｐ１）に向かうように付勢がされる平行リンク機構（１９）もしくは平行リンク機構に近似したリンク機構を構成している第２のメンバ（１７）と、前記ドアが前記収容孔を閉じるように、前記各メンバ（１５、１７）のうちの少なくともいずれかのメンバを付勢する付勢部材（２１）とを備えて構成されているドア装置である。
【００１４】
第５の発明は、第４の発明のドア装置において、前記ドア（１１）との係合部と前記筐体（７）との係合部との間に位置している前記メンバの部位が、前記ドア（１１）の中央部側に凸になるように屈曲しているドア装置である。
【００１５】
第６の発明は、第４または第５の発明のドア装置において、前記移動体（９）に設けられているドア用当接部（４７）が、前記ドア（１１）に設けられている移動体用当接部（４９）に当接して、前記移動体（９）で前記ドアを押すことにより前記ドアが自動的に開くように構成されており、前記ドア用当接部は、斜面（５１）で構成されており、前記移動体用当接部（４９）は、この移動体用当接部（４９）が前記ドア用当接部（４７）に当接するときに、前記ドア用当接部（４７）の斜面（５１）に対向する斜面（５３）で構成されており、前記第１のメンバ（１５）における筐体との係合部と前記第１のメンバ（１５）におけるドアとの係合部とをお互いに結ぶ直線と、前記移動体の移動方向との交差角度（φ）は、前記移動体が前記収容位置から前記突出位置側に向かうにしたがって次第に小さくなるように構成されており、前記ドア用当接部の斜面（５１）、前記移動体用当接部の斜面（５３）のうちの少なくとも一方の斜面は、前記交差角度（φ）が小さくなったときに前記移動体の移動で前記メンバを回動させる力が小さくなることを防ぐために、傾斜角度が変化しているドア装置である。
【００１６】
第７の発明は、第１〜第６の発明のドア装置を有する電子機器（１）である。
【発明の効果】
【００１７】
本発明によれば、ドアの開閉状態にかかわらず、外観が悪化することを防止することができるという効果を奏する。
【図面の簡単な説明】
【００１８】
【図１】本発明の実施形態に係るＤＶＤレコーダであって、トレイが収容位置に位置しドアが閉位置に位置しているものを示す図である。
【図２】本発明の実施形態に係るＤＶＤレコーダであって、トレイが突出位置に位置しドアが第２の開位置に位置しているものを示す図である。
【図３】本発明の実施形態に係るＤＶＤレコーダであって、トレイが収容位置に位置しドアが第１の開位置に位置しているものを示す図である。
【図４】本発明の実施形態に係るＤＶＤレコーダにおけるトレイとドアとの関係を示す側面図であって、トレイが収容位置に位置しドアが閉位置に位置しているものを概略的に示す図である。
【図５】本発明の実施形態に係るＤＶＤレコーダにおけるトレイとドアとの関係を示す側面図であって、トレイが第１の移動位置に位置しドアが閉位置に位置しているものを概略的に示す図である。
【図６】本発明の実施形態に係るＤＶＤレコーダにおけるトレイとドアとの関係を示す側面図であって、トレイが突出位置に位置しドアが第２の開位置に位置しているものを概略的に示す図である。
【図７】本発明の実施形態に係るＤＶＤレコーダにおけるトレイとドアとの関係を示す側面図であって、トレイが収容位置に位置しドアが第１の開位置に位置しているものを概略的に示す図である。
【図８】ドア支持機構を構成するメンバの回動角度と、メンバに付与される回転モーメントとの関係を示す図である。
【図９】ドア支持機構を示す斜視図であって、ドアが閉位置に位置している状態を示す図である。
【図１０】ドア支持機構を示す斜視図であって、ドアが第２の開位置に位置している状態を示す図である。
【図１１】ドア支持機構を示す斜視図であって、ドアが第１の開位置に位置している状態を示す図である。
【図１２】ドア支持機構を構成するメンバが屈曲している場合（ａ）と、屈曲していない場合（ｂ）とを比較した側面図である。
【図１３】ドア支持機構を構成するメンバが屈曲している場合（ａ），（ｃ）と、屈曲していない場合（ｂ），（ｄ）とを比較した側面図である。
【図１４】トレイとドアとの当接部の詳細を示す側面図であり、（ａ）はトレイが収容位置に位置しドアが閉位置に位置している状態を示しており、（ｅ）はトレイが突出位置に位置しドアが第２の開位置に位置している状態を示している。（ｂ）〜（ｄ）は、途中の状態を順に示している。
【図１５】ドア支持機構におけるドアの取付構造を示す斜視図である。なお、本図ではドアの表示は省略してある。
【図１６】ドア支持機構におけるドアの取付構造における、ドアの導光板部を示す斜視図である。
【図１７】ドア支持機構におけるドアの取付構造で、ドア支持機構にドアの導光板部を設置した状態を示す斜視図である。
【図１８】ドア支持機構におけるドアの取付構造における、ドアの基板部を示す斜視図である。
【図１９】ドア支持機構におけるドアの取付構造で、ドア支持機構にドアの基板部を設置した状態を示す斜視図である。
【図２０】ドア支持機構におけるドアの取付構造で、ドア支持機構にドアの基板部を設置しドアの導光板を設置した状態を示す斜視図である。
【図２１】ドア支持機構を構成するメンバの変形例を示す斜視図である。
【図２２】ドア支持機構の変形例を示す図である。
【発明を実施するための形態】
【００１９】
図１（ａ）、図２（ａ）、図３（ａ）は、ＤＶＤレコーダの斜視図であり、図１（ｂ）は、図１（ａ）におけるＩ矢視図であり、図２（ｂ）は、図２（ａ）におけるＩＩ矢視図であり、図３（ｂ）は、図３（ａ）におけるＩＩＩ矢視図である。
【００２０】
電子機器１は、ディスクローディング用トレイ９を備えた機器（たとえば、ＤＶＤレコーダ等のディスク装置）であり、ドア装置３を備えている（図１、図４等参照）。
【００２１】
ドア装置３は、収容孔（収納孔）５を備えた筐体７と、筐体７の収容孔５に出入りする移動体（たとえば、ＤＶＤ等のディスク状の記録媒体が載置されるトレイ）９と、収容孔５を保護・遮蔽するためのドア１１と、ドア１１を支持するドア支持機構１３とを備えている（図２、図４等参照）。
【００２２】
トレイ９は、筐体７に設けられており、筐体７の収容孔５の内部に収容されている収容位置ＰＳ０と筐体７の収容孔５から最大に突出している突出位置ＰＳａとの間を直線的に移動するようになっている（図４〜図７、図１４等参照）。なお、移動体として、トレイ９の他に、車載用等の収容可能な映像表示パネルを掲げることができる。収容可能な映像表示パネルでは、筐体の収容孔の内部に収容されている収容位置と筐体の収容孔から最大に突出している突出位置との間を直線的に移動し、さらに突出位置に達するまでに起き上がるように動き、突出位置で映像表示パネル面を前面に向けるようになっている。
【００２３】
トレイ９が収容位置ＰＳ０に位置（存在）している状態では、トレイ９の総てが収容孔５の内部に位置している。トレイ９が突出位置ＰＳａに位置している状態では、トレイ９の基部の一部が、収容孔５内に位置している（図２、図６等参照）。
【００２４】
トレイ９は、図示しないアクチュエータで、上述した移動をするようになっており、収容位置ＰＳ０に位置しているときには、この位置を維持し、突出位置ＰＳａに位置しているときにも、この位置を維持することができるようになっている（図４、図６等参照）。
【００２５】
ドア１１は、筐体７の収容孔５を閉じる（塞ぐ）ためのものであり、筐体７の前側に設けられており、収容孔５の開口部で収容孔５を蓋するようになっている（図１等参照）。
【００２６】
ドア支持機構１３は、筐体７とドア１１との間に設けられている。ドア支持機構１３を介して筐体７に支持されているドア１１は、筐体７の収容孔５を閉じる閉位置Ｐ０と筐体７の収容孔５を開ける第１の開位置Ｐ１との間で、筐体７に対してほぼ平行移動し（ドア１１がこの姿勢を維持して移動し）収容孔５を開閉するようになっている（図４〜図７等参照）。
【００２７】
また、ドア支持機構１３で支持されているドア１１は、閉位置Ｐ０と第２の開位置Ｐ２との間で、トレイ９の移動に応じて（連動して）自動的に開閉するようになっている。第２の開位置Ｐ２は、第１の開位置Ｐ１よりも筐体７の収容孔５寄りの中間位置（たとえば僅かに上方の位置）である（図１〜図７等参照）。
【００２８】
また、ドア支持機構１３で支持されているドア１１は、ドア１１が閉位置Ｐ０に位置しているときドア１１が停止してこの位置を保持（維持）し、ドア１１が第１の開位置Ｐ１に位置しているときドア１１が停止してこの位置を保持（維持）するようになっている。
【００２９】
ドア支持機構１３は、図４〜図７等で示すように、たとえば、第１のメンバ（第１のアーム）１５と第２のメンバ（第２のアーム）１７とを備えて構成されている。第１のメンバ１５は、筐体７とドア１１とに対して回動自在に係合している。
【００３０】
第２のメンバ１７も、筐体７とドア１１とに対して回動自在に係合している。また、第２のメンバ１７は、筐体７とドア１１と第１のメンバ１５とともに、平行リンク機構１９もしくは平行リンク機構に近似したリンク機構を構成している。平行リンク機構１９（ドア支持機構１３）では、ドア１１がこの重量により閉位置Ｐ０から第１の開位置Ｐ１に向かう付勢（下方向に向かう付勢）がされている。
【００３１】
また、ドア支持機構１３には、第１の付勢部材（主バネ）２１と第２の付勢部材（補助バネ）２３とが設けられている。
【００３２】
主バネ２１は、ドア１１が収容孔５を閉じるように（ドア１１が収容孔５の開口部を塞ぐように；ドア１１が第１の開位置Ｐ１から閉位置Ｐ０へ移動する回動を各メンバ１５，１７がするように）、メンバ１５，１７のうちの少なくともいずれかのメンバを付勢している。
【００３３】
補助バネ２３は、ドア１１が収容孔５の開口部を開くように（ドア１１が閉位置Ｐ０から第１の開位置Ｐ１へ移動する回動を各メンバ１５，１７がするように）、メンバ１５，１７のうちの少なくともいずれかのメンバを付勢している。
【００３４】
なお、ドア１１の重量と、主バネ２１のバネ定数を調整することにより、補助バネ２３が削除されている構成や、各メンバの長さと各バネのバネ定数を変更することにより主バネ２１でメンバ１５、補助バネ２３でメンバ１７をそれぞれ付勢するような構成であってもよいが、この実施形態に係るＤＶＤレコーダでは、主バネ２１がメンバ１７、補助バネ２３がメンバ１５をそれぞれ付勢する例を示す。
【００３５】
ドア支持機構１３を構成している各メンバ１５，１７や各バネ２１，２３は、たとえば、２組（一対）設けられている。すなわち、一組の各メンバ１５，１７や各バネ２１，２３は、ドア１１の左右方向で左側（トレイ９の左端部の近傍）に設けられており、他の一組の各メンバ１５，１７や各バネ２１，２３は、ＤＶＤレコーダ１の中央平面に対して、左側の各メンバ１５，１７や各バネ２１，２３と対称に（すなわち右側に）設けられている。中央平面とは、ＤＶＤレコーダ１の中心を通り、ＤＶＤレコーダ１の前後方向および上下方向に展開している平面（ＤＶＤレコーダ１の左右方向に直交している平面）である。
【００３６】
平行リンク機構１９においては、筐体７が固定リンクになっている。そして、各メンバ１５，１７が筐体７に対して回動することにより、ドア１１が平行に移動するようになっている。ドア１１が平行に移動するときには、各メンバ１５，１７は、ドアに対しても回動する。
【００３７】
図４〜図７を参照するに、筐体７に対する第１のメンバ１５の回動中心軸は、参照符号Ｃ１で示してあり、筐体７に対する第２のメンバ１７の回動中心軸は、参照符号Ｃ２で示してあり、ドア１１に対する第１のメンバ１５の回動中心軸は、参照符号Ｃ３で示してあり、ドア１１に対する第２のメンバ１７の回動中心軸は、参照符号Ｃ４で示してある。
【００３８】
また、ドア支持機構１３では、ドア１１の重量と各バネ２１，２３による付勢力とトレイ９の移動とで、各メンバ１５，１７に回転モーメトを発生させて、ドア１１が駆動（移動）するようになっている。ドア１１の重量と各バネ２１，２３による付勢力とで各メンバ１５，１７に発生する回転モーメントは、各メンバ１５，１７の回動角度に応じて適宜変化するようになっている（図８等参照）。そして、トレイ９の移動により、ドア１１が閉位置Ｐ０と第２の開位置Ｐ２との間で上述した動きをするようになっている。
【００３９】
さらに詳しく説明すると、第1の開位置Ｐ１と第２の開位置Ｐ２との間におけるドア１１の所定の位置を第３の開位置Ｐ３とする。閉位置Ｐ０に位置しているドア１１は、各メンバ１５，１７の回動によって、第２の開位置Ｐ２、第３の開位置Ｐ３をこの順に経て、第１の開位置Ｐ１まで移動するようになっている（図４〜図８等参照）。
【００４０】
閉位置Ｐ０に位置しているドア１１は、ドア１１の重量と補助バネ２３とで付勢されているにもかかわらず、主バネ２１で付勢されて閉位置Ｐ０に位置し、筐体７の収容孔５の開口部を閉じて塞いでいる（図１、図４、図５、図８等参照）。
【００４１】
図８の横軸は、各メンバ１５，１７の回動角度を示しており、図８の縦軸は、各バネ２１，２３とドア１１の重量とによって各メンバ１５，１７に加えられる回転モーメントを示している。図８のグラフＧ１は、各メンバ１５，１７の回動角度と、補助バネ２３によって各メンバ１５，１７に加えられる回転モーメントとの関係を示している。図８のグラフＧ２は、各メンバ１５，１７の回動角度と、ドア１１の重量によって各メンバ１５，１７に加えられる回転モーメントとの関係を示している。図８のグラフＧ３は、グラフＧ１とグラフＧ２との和である。図８のグラフＧ４は、各メンバ１５，１７の回動角度と、主バネ２１によって各メンバ１５，１７に加えられる回転モーメントとの関係を示している。実際には、補助バネ２３とドア１１の重量とにより各メンバ１５，１７に加えられる回転モーメントに対して、主バネ２１により各メンバ１５，１７に加えられる回転モーメントは逆向きなのであるが、図８の縦軸は、回転モーメントの絶対値を示している。
【００４２】
なお、各メンバ１５，１７に加えられる回転モーメントとして、各メンバ１５，１７自身の重量等も考慮することになろうが、各メンバ１５，１７の重量等はドア１１の重量に比べて小さいので、無視してある。
【００４３】
また、図８の横軸には、各メンバ１５，１７の閉位置Ｐ０からの回動角度に対応したドア１１の位置を示してある。すなわち、各メンバ１５，１７の回動角度が閉角度θ０であるとき、ドア１１は閉位置Ｐ０に位置しており（図４、図５等参照）、各メンバ１５，１７の回動角度が第１の角度θ１であるとき、ドア１１は第１の開位置Ｐ１に位置しており（図７等参照）、各メンバ１５，１７の回動角度が第２の角度θ２であるとき、ドア１１は第２の開位置Ｐ２に位置しており（図６等参照）、各メンバ１５，１７の回動角度が第３の角度θ３であるとき、ドア１１は第３の開位置Ｐ３に位置している。
【００４４】
閉位置Ｐ０に位置しているドア１１は、主バネ２１で付勢されているとともに、第２のメンバ１７に設けられている筐体用当接部２５が、筐体７に設けられているメンバ用当接部２７に当接しており（図９等参照）、ドア１１に設けられている筐体用当接部（図示せず）が筐体７に設けられているドア用当接部（図示せず）に当接している。ドア１１の筐体用当接部はたとえばクッションとして働く材料で構成されており、ドア１１の筐体用当接部が筐体７のドア用当接部に当接するとき（ドア１１が収容孔５を閉じるときの）の衝撃を緩和している。
【００４５】
閉位置Ｐ０と第３の開位置Ｐ３の間では、補助バネ２３による回転モーメントとドア１１の重量による回転モーメントとの和よりも、主バネ２１による回転モーメントが大きくなっている。したがって、各メンバ１５，１７は、ドア１１が収容孔５を閉じる方向に回動し（たとえば図４では、軸Ｃ１，Ｃ２を中心にして時計まわりに付勢され）、ドア１１が、収容孔５を閉じる方向（上方向）に移動するようになっている（図８参照）。
【００４６】
また、第３の開位置Ｐ３では、補助バネ２３による回転モーメントとドア１１の重量による回転モーメントとの和が、主バネ２１による回転モーメントと等しくなる（図８参照）。
【００４７】
さらに、第３の開位置Ｐ３と第１の開位置Ｐ１との間では、補助バネ２３による回転モーメントとドア１１の重量による回転モーメントとの和よりも、主バネ２１による回転モーメントが小さくなる（図８参照）。したがって、各メンバ１５，１７は、ドア１１が収容孔５をあける方向に回動し、ドア１１が、収容孔５を空ける方向（下方向）に移動するようになっている。
【００４８】
なお、ドアが第１の開位置Ｐ１に位置しているときには、各メンバ１５，１７に設けられている筐体用当接部２９，３１が、筐体７に設けられているメンバ用当接部２７，３３に当接し、各メンバ１５，１７の回動（第１の開位置Ｐ１に位置しているドア１１が筐体７の収容孔５の開口部からより離れる側へ移動する回動）が停止し、ドア１１の位置が維持されるようになっている（図１１等参照）。
【００４９】
ところで、トレイ９が収容位置ＰＳ０から突出位置ＰＳａまで移動する場合、この移動をしている途中で、トレイ９がたとえばドア１１に当接してドア１１を押し、これにより、主バネ２１で付勢されているにもかかわらず、各メンバ１５，１７が回動し、閉位置Ｐ０から第２の開位置Ｐ２に向かってドア１１が移動するようになっている（図４、図５、図６、図１４等参照）。
【００５０】
トレイ９が当接することによってドア１１が移動し収容孔５の開口部が開くので（トレイ９の移動量に連動してドア１１が徐々に移動し収容孔５の開口部が徐々に開くので）、トレイ９は収容位置ＰＳ０から突出位置ＰＳａに向かって移動できるのである。
【００５１】
トレイ９が、突出位置ＰＳａまで移動し終えて突出位置ＰＳａに位置しているときには、主バネ２１で付勢されているにもかかわらず、ドア１１がたとえばトレイ９に当接して第２の開位置Ｐ２に位置し、この位置が維持されるようになっている（図２、図６等参照）。
【００５２】
トレイ９が突出位置ＰＳａから収容位置ＰＳ０まで移動するときには、主バネ２１が開こうとすることによる付勢力により、ドア１１が第２の開位置Ｐ２から閉位置Ｐ０まで移動するようになっている。ドア１１が第２の開位置Ｐ２から閉位置Ｐ０まで移動するときの動作は、トレイ９が収容位置ＰＳ０から突出位置ＰＳａまで移動するときとは逆の動作となる。
【００５３】
ここで、トレイ９とドア１１との当接状態（接触）について、図４、図５、図６、図１４等を参照して詳しく説明する。
【００５４】
説明の便宜のために、収容位置ＰＳ０と突出位置ＰＳａとの間に位置するトレイ９の位置として、第１の移動位置ＰＳ１と第２の移動位置ＰＳ２とを掲げる。
【００５５】
第１の移動位置ＰＳ１は、収容位置ＰＳ０から突出位置ＰＳａに向かって僅かな第１の距離だけ移動したときにおけるトレイ９の位置である。第２の移動位置ＰＳ２は、第１の移動位置ＰＳ１から突出位置ＰＳａに向かって第２の距離だけ移動したときにおけるトレイ９の位置である。
【００５６】
トレイ９が収容位置ＰＳ０から突出位置ＰＳａに移動する場合において、トレイ９が収容位置ＰＳ０と第１の移動位置ＰＳ１との間に位置しているときには、トレイ９とドア１１とはお互いが非接触の状態にある（お互いが離れている）。トレイ９が第１の移動位置ＰＳ１に位置したときに、トレイ９とドア１１とがお互いに接触し始め、トレイ９が第１の移動位置ＰＳ１と突出位置ＰＳａとの間に位置しているときには、トレイ９とドア１１とはお互いが接触している。
【００５７】
トレイ９が第１の移動位置ＰＳ１と第２の移動位置ＰＳ２との間に位置しているときには、トレイ９の移動量に応じて、ドア１１の移動量も変化するようになっている。すなわち、トレイ９が第１の移動位置ＰＳ１から第２の移動位置ＰＳ２に向かうにしたがって、ドア１１が閉位置Ｐ０から第２の開位置Ｐ２に向かって移動し、収容孔５の開口量が次第に増えるようになっている。そして、トレイ９が第２の移動位置ＰＳ２に位置したときには、ドア１１が第２の開位置Ｐ２に位置するようになっている。
【００５８】
トレイ９が第２の移動位置ＰＳ２と突出位置ＰＳａとの間に位置しているときには、左右前後方向に展開しているトレイ９の平面状の下面に、ドア１１の直線状の上端部（左右方向に延伸している上端部）が接触することで、トレイ９の位置にかかわらずドア１１が第２の開位置Ｐ２に位置しこの位置を維持するようになっている。
【００５９】
ところで、第１の開位置Ｐ１にドア１１が位置しているときには、トレイ９がいずれに位置しているかにかかわらず、ドア１１とトレイ９とはお互いが離れている。また、第１の開位置Ｐ１にドア１１が位置しているときには、前述したように、補助バネ２３による回転モーメントとドア１１の重量による回転モーメントとの和よりも、主バネ２１による回転モーメントが小さくなる。また、筐体７に設けられているメンバ用当接部２７，３３に各メンバ１５,１７の筐体用当接部２９，３１が当接し、ドア１１の第１の開位置Ｐ１が維持されるようになっている（図８、図１１等参照）。
【００６０】
ドア支持機構１３で支持されているドア１１は、前述したように、たとえば下方向に移動することによって、閉位置Ｐ０から第１の開位置Ｐ１に移動する。ドア１１が第１の開位置Ｐ１や第２の開位置Ｐ２に位置しているとき、ドア１１は、収容孔５の下方にあって収容孔５から離れている。
【００６１】
また、ドア１１との係合部と筐体７との係合部との間に位置しているメンバ１５,１７の部位（ドア側部位）３５，３７が、ドア１１の上下方向でドア１１の中央部側に凸になるように屈曲している（図１２（ａ）等参照）。第１のメンバ１５におけるドア側部位３５は、各中心軸Ｃ１，Ｃ３の間に存在している部位であり、第２のメンバ１７におけるドア側部位３７は、各中心軸Ｃ２，Ｃ４の間に存在している部位である。
【００６２】
詳しく説明すると、各メンバ１５,１７は、ドア１１の後側で筐体７に設けられている。第１のメンバ１５は、上側に設けられており、第２のメンバ１７は、第１のメンバ１５から離れて第１のメンバ１５の下側に設けられている。第１のメンバ１５は、上下方向ではドア１１の上部側に設けられており、第２のメンバ１７は、上下方向ではドア１１のほぼ中央部に設けられている。ドア１１が閉位置Ｐ０に位置している状態では、各メンバ１５,１７はドア１１に遮られて見えないようになっている。
【００６３】
さらに、水平な前後方向でＤＶＤレコーダ１の前からドア１１を見ると、ドア１１で遮ることにより、ドア１１がいずれの位置に位置していても（たとえば、第１の開位置Ｐ１や第２の開位置Ｐ２に位置していても）、図１３（ａ）、（ｃ）で示すように、各メンバ１５，１７のドア側部位（特に、第１のメンバ１５のドア側部位３５）が見えないか見えにくいようになっている。なお、図１３で示す参照符号Ｅは、ユーザの目である。また、図１２（ｂ）、図１３（ｂ）、（ｄ）は、ドア側部位３５，３７が曲がっていない場合を示す図であり、図１２（ａ）、図１３（ａ）、（ｃ）は、ドア側部位３５，３７が曲がっている場合を示す図である。
【００６４】
第１のメンバ１５のドア側部位３５は、直線的な帯状の先端側部位３９と直線的な帯状の基端側部位４１との境界でたとえば直角に屈曲して「Ｌ」字状に形成されている。そして、ドア１１が閉位置Ｐ０から離れたときに、屈曲部位であるドア側部位３５の境界（先端側部位３９と基端側部位４１との境界）が、ドア１１との係合部（軸Ｃ３）や筐体７との係合部（軸Ｃ１）よりも下方に位置するようになっている（図１３（ａ）、（ｃ）等参照）。なお、ドア１１が閉位置Ｐ０に位置しているときには、屈曲部位であるドア側部位の境界が、筐体７との係合部（軸Ｃ１）とほぼ同じ高さのところに位置しており、ドア１１との係合部（軸Ｃ３）が、屈曲部位であるドア側部位の境界よりも上方に位置している（図１２（ａ）参照）。
【００６５】
第２のメンバ１７のドア側部位３７は、直線的な帯状の先端側部位４３と直線的な帯状の基端側部位４５との境界でたとえば鈍角で屈曲して「ヘ」字状に形成されている。そして、ドア１１が閉位置Ｐ０から離れたときに、屈曲部位であるドア側部位３７の境界が、ドア１１との係合部（軸Ｃ４）や筐体７との係合部（軸Ｃ２）よりも上方に位置するようになっている（図１３（ａ）、（ｃ）参照）。なお、ドア１１が閉位置Ｐ０に位置しているときには、屈曲部位であるドア側部位３７の境界が、ドア１１との係合部（軸Ｃ４）とほぼ同じ高さのところに位置しており、筐体７との係合部（軸Ｃ２）が、屈曲部位であるドア側部位３７の境界よりも上方に位置している（図１２（ａ）参照）。
【００６６】
また、ドア装置３（ＤＶＤレコーダ１）では、図１４で示すように、トレイ９に設けられているドア用当接部４７が、ドア１１に設けられているトレイ用当接部（移動体用当接部）４９に当接して、トレイ９でドア１１を押すことによりドア１１が自動的に開き、また閉じるように構成されている。
【００６７】
ドア用当接部４７は、斜面５１で構成されている。トレイ用当接部４９は、このトレイ用当接部４９がドア用当接部４７に当接するときに、ドア用当接部４７の斜面５１に対向する斜面５３で構成されている。
【００６８】
また、第１のメンバ１５（第２のメンバ１７）における筐体７との係合部（軸Ｃ１，Ｃ２）と第１のメンバ１５（第２のメンバ１７）におけるドア１１との係合部（軸Ｃ３，Ｃ４）とをお互いに結ぶ直線と、トレイ９の移動方向との交差角度φが、トレイ９が収容位置ＰＳ０から突出位置ＰＳａ側に向かうにしたがって次第に小さくなるように構成されている（図４、図５参照）。
【００６９】
すなわち、トレイ９が収容位置ＰＳ０に位置しているときには、前記直線とトレイ９の移動方向（水平な前後方向）の交差角度φが直角に近い角度になっている。また、トレイ９が突出位置ＰＳａに位置しているときには、前記直線がトレイ９の移動方向に対して平行に近い状態で延伸している。より正確には、トレイ９が収容位置ＰＳ０から突出位置ＰＳａに向って移動する場合、前記直線とトレイ９の移動方向との交差角度φは、一旦「０°」になり、その後、僅かな値になる（図４〜図６等参照）。
【００７０】
そして、ドア用当接部４７の斜面５１、トレイ用当接部４９の斜面５３のうちの少なくとも一方の斜面は、前記交差角度φが小さくなったときにトレイ９の移動でメンバ１５，１７を回動させる力（押す力の分力）が小さくなることを防ぐために、傾斜角度が変化している。
【００７１】
具体的には、図１４で示すように、ドア用当接部４７の斜面５１が第１の斜面５５と第２の斜面５７とで構成されている。第１の斜面５５は、第２の斜面５７の上側に設けられている。そして、トレイ９が収容位置ＰＳ０から突出位置ＰＳａに向かって移動するときに、まず、第１の斜面５５がトレイ用当接部４９の斜面５３の当接し、次に、第２の斜面５７がトレイ用当接部４９の斜面５３に当接するようになっている。
【００７２】
トレイ９の移動方向に対する第１の斜面５５の交差角度は、第２の斜面５７の交差角度よりも大きくなっている。また、第２の斜面５７とトレイ用当接部４９の斜面５３とはほぼ平行になっている。
【００７３】
そして、第２の斜面５７がトレイ用当接部４９の斜面５３に当接する場合のほうが、第１の斜面５５がトレイ用当接部４９の斜面５３に当接する場合よりも、トレイ９の移動量に対する各メンバ１５，１７の回動角度の量の割合が小さくなる一方で、各メンバ１５，１７を回動させる分力が大きくなる。
【００７４】
なお、図１４では、ドア用当接部４７の斜面５１が、第１の斜面５５と第２の斜面５７との２つの斜面で構成されているが、３つ以上の斜面で構成されていてもよく、さらには、斜面５１を側面視において円弧状に形成し、連続的にトレイの移動方向との交差角度が変化するようにしてもよい。
【００７５】
ＤＶＤレコーダ１についてさらに説明すると、ＤＶＤレコーダ１（筐体７）は、前後方向の寸法、上下方向の寸法、左右方向の寸法が所定の値になっている直方体状に形成されており、上下方向の寸法が、前後方向の寸法や左右方向の寸法よりも小さくなっている。
【００７６】
収容孔５は、横方向の寸法が縦方向の寸法よりも大きな矩形状に形成されており、筐体７の前面で、高さ方向ではやや上方に左右方向ではほぼ中央に設けられている。収容孔５の深さ方向が筐体７の前後方向になっており、トレイ９は、前後方向で水平に移動するようになっている。
【００７７】
トレイ９は、ディスクドライブの枠体（図示せず）に対して移動するようになっている。ディスクドライブの枠体は、筐体７に一体的に設けられており、枠体に収容孔５が形成されている。なお、この明細書では、ディスクドライブの枠体を筐体７の一部とみなしている。
【００７８】
筐体７の前面には、メモリカードスロット５９やＬＣＤ等で構成された表示部６１が設けられている。さらに、ＨＤＮＩ端子等の端子部（図示せず）が設けられている場合がある。
【００７９】
ドア１１は、トレイ９の収容孔５を塞ぐだけでなく、メモリカードスロット５９や表示部６１や端子部等も覆うようになっている。すなわち、ドア１１は、トレイ９の収容孔５を塞ぐドアとメモリカードスロット５９や表示部６１や端子部等を覆うドアとを兼ねている。
【００８０】
ドア１１は、図１〜図７等で示すように、たとえば矩形な板状に形成されている。ドア１１の長手方向の寸法は、筐体７の左右方向の寸法よりも小さく、ドア１１の幅方向の寸法は、筐体７の高さ方向の寸法よりも小さくなっている。矩形なドア１１の外周の４辺には、面取り６３が施されている。この面取り６３の大きさは、ドア１１の厚さよりも僅かに小さいものである。これにより、ドア１１は、高さの低い四角錐状に形成されている。また、ドア１１の上の辺に設けられている面取り６３が、トレイ用当接部４９を構成している。
【００８１】
より詳しく説明すると、面取り６３の一部には、平板状のパッド６４（図９、図１０、図１４参照）が設けられており、パッド６４が、トレイ用当接部４９を構成している。
【００８２】
また、ドア１１は、厚さ方向が前後方向になり、長手方向が左右方向になり、幅方向が上下方向になり、面取り６１が筐体７側を向くようにして、ドア支持機構１３によって筐体７に設けられている。
【００８３】
ドア１１が閉位置Ｐ０に位置しているとき、ドア１１は、筐体７の左右方向では中央部に位置し、筐体７の上下方向ではほぼ中央に位置し、筐体７の前後方向では、ドア１１の前面と筐体７の前面（ドア１１周辺の部位）とがほぼ同一平面上に位置している。
【００８４】
閉位置Ｐ０から開位置Ｐ１，Ｐ２，Ｐ３に移動するとき、ドア１１は、左右方向ではこの位置を維持し、高さ方向の位置と前後方向の位置とが変化するようになっている。また、前述したように、ドア１１は、姿勢が変化することなく移動するようになっている。さらに、ドア１１の上下方向での移動量が前後方向での移動量よりも大きくなっている。
【００８５】
ドア１１が閉位置Ｐ０に位置している状態では、前述したように、収容孔５（収容位置ＰＳ０に位置しているトレイ９）とメモリカードスロット５９と表示部６１や端子部は、ドア１１によって隠れてしまいＤＶＤレコーダ１の外部からは見えないようになっている。
【００８６】
また、第１の開位置Ｐ１や第２の開位置Ｐ２に位置している状態では、ドア１１は、収容孔５から離れて収容孔５の下側に位置しており、収容孔５とメモリカードスロット５９と表示部６１や端子部が現れるようになっている。
【００８７】
ドア１１が第１の開位置Ｐ１に位置していても、ドア１１はＤＶＤレコーダ１の設置面から離れている。すなわち、ドア１１がいずれに位置していても、ＤＶＤレコーダ１（筐体７）の前から後に向かってＤＶＤレコーダ１を眺めると、ドア１１は、常に脚を含めた筐体７の内側に位置している。
【００８８】
第１のメンバ１５や第２のメンバ１７は、たとえば、板金によって形成されており、厚さ方向が筐体７の左右方向になるようにして、筐体７に設置されている。
【００８９】
第１のメンバ１５には、反ドア側部位６５が設けられている。反ドア側部位６５は、ドア側部位３５の反対側でドア側部位３５から離れる方向に、筐体７との係合部（軸Ｃ１）から直線状に延びている。また、反ドア側部位６５は、ドア側部位３５の基端側部位４１を延長した形態になっている（図１２（ａ）等参照）。
【００９０】
第２のメンバ１７には、反ドア側部位６７が設けられている。反ドア側部位６７は、ドア側部位３７の反対側でドア側部位３７から離れる方向に、筐体７との係合部（軸Ｃ２）から直線状に延びている。また、反ドア側部位６７は、ドア側部位３７の先端側部位４３と平行に延びている（図１２（ａ）等参照）。
【００９１】
主バネ２１は、ねじりコイルバネで構成されており、螺旋状のコイル部６９とこのコイル部６９から延出している直線状のメンバ側延出部７１とコイル部６９から延出している直線状の筐体側延出部７３とを備えて「Ｖ」字状に形成されている。補助バネ２３も主バネ２１と同様にしてねじりコイルバネで構成されており、コイル部７５とメンバ側延出部７７と筐体側延出部７９とを備えて「Ｖ」字状に形成されている。
【００９２】
そして、図４等で示すように、主バネ２１のメンバ側延出部７１の先端部が第２のメンバ１７の反ドア側部位６７の先端部に係合し、主バネ２１の筐体側延出部７３の先端部が筐体７に係合していることにより、第２のメンバ１７が軸Ｃ２を中心にして時計まわりに回動するように付勢されている。
【００９３】
また、補助バネ２３のメンバ側延出部７７の先端部が第１のメンバ１５の反ドア側部位６５の先端部に係合し、補助バネ２３の筐体側延出部７９の先端部が筐体７に係合していることにより、第１のメンバ１５が軸Ｃ１を中心にして反時計まわりに回動するように付勢されている。
【００９４】
さらに、各メンバ１５，１７の回動角度に応じて、各バネ２１，２３とドア１１の重量とにより各メンバ１５，１７が受ける回転モーメントが変化し（各バネ２１，２３等の分力が変化し）、図８に示したような関係を得ることができる。
【００９５】
たとえば、図４で示す状態では、軸Ｃ１と、第１のメンバ１５と補助バネ２３との係合部と、補助バネ２３と筐体７との係合部とがほぼ一直線（水平な直線）上に位置しているので、補助バネ２３は第１のメンバ１５（第２のメンバ１７）に回転モーメントを与えていないのである。なお、各バネ２１，２３のコイル部６９，７５は、筐体７等に支持されてはいない。
【００９６】
ドア１１は、アルミニムやこの合金等の金属で構成された基板部８１と、可視光線を透過する樹脂等の透明な材料で構成された導光板部８３とを備えて構成されている。そして、導光板部８３が筐体７に対向するようにして、ドア支持機構１３を介して筐体７に設けられている（図４、図１４、１６〜２０等参照）。
【００９７】
筐体７の前面の中央部には、ＬＥＤ等の発光素子（図示せず）が設けられており、この発光素子が発した光が、導光板部８３を通って、ドア１１の周辺部から出射され、ドア１１に審美性を付与するようになっている。なお、この審美性は、ドア１１がこの姿勢を変えないで移動するので、一層引き立つのである。
【００９８】
また、ドア１１は、ドア支持機構１３に対して着脱自在になっている。
【００９９】
具体的には、上述した平行リンク機構１９は、筐体７と第１のメンバ１５と第２のメンバ１７とドア１１に一体的に係合している第３のメンバ８５とで構成されている（図１５等参照）。なお、第３のメンバ８５を用いることなく、第３のメンバ８５の代わりにドア１１を第１のメンバ１５と第２のメンバ１７とに直接係合させて上述した平行リンク機構１９を構成してあってもよい。
【０１００】
第３のメンバ８５はたとえば板金で構成されており、第３のメンバ８５には、長手方向の断面が「コ」字状になっているメンバ用係合部８７が設けられている。メンバ用係合部８７には弾性を備えた梁部８９が設けられており、梁部８９の中央部には凸部９１が設けられている（図１５等参照）。
【０１０１】
ドア１１の導光板部８３には、溝部９３が形成されており（図１６参照）、この溝部９３に、メンバ用係合部８７の梁部８９や凸部９１が入り込み係合するようになっている（図１７参照）。
【０１０２】
ドア１１の基板部８１にも、溝部９５が形成されており（図１８参照）、この溝部９５に、メンバ用係合部８７が入り込み係合するようになっている（図１９参照）。
【０１０３】
そして、ドア１１の導光板部８３と基板部８１とで第３のメンバ８５が挟まれて、ドア１１が第３のメンバ８５に一体的に設置されるようになっている（図２０参照）。
【０１０４】
また、図２０で示すように、基板部８１の溝部９５の下側の部位は、導光板部８３で覆われていない。そして、図２０で示す状態（第３のメンバ８５にドア１１が一体的に設置されている状態）から、ドア１１を取り外す場合には、ドア１１を上方に移動し、第３のメンバ８５のメンバ用係合部８７を、導光板部８３では覆われていない基板部８１の溝部９５のところまで移動し、続いて、ドア１１を、前側に移動すればよい。ドア１１を第３のメンバ８５に設置する場合には、逆の操作をすればよい。
【０１０５】
ここで、ドア１１の動作について説明する。
【０１０６】
まず、トレイ９によるドア１１の開動作について説明する。
【０１０７】
初期状態として、トレイ９が収容位置ＰＳ０に位置し、ドア１１が閉位置Ｐ０に位置しているもとする。
【０１０８】
この初期状態（図１、図４、図９、図１２（ａ）、図１４（ａ）参照）で、筐体７の前面に設けられている操作スイッチ９７（図１参照）をユーザが押すと、トレイ９が、第１の移動位置ＰＳ１に向かって移動する。
【０１０９】
トレイ９が、第１の移動位置ＰＳ１に到達すると、トレイ９がドア１１に当接し、各メンバ１５，１７が回動し始めドア１１も移動し始める（図５、図１４（ｂ）参照）。トレイ９は停止することなく、第２の移動位置ＰＳ２に向かって移動する。
【０１１０】
トレイ９が、第２の移動位置ＰＳ２に到達すると、トレイ９の下面がドア１１に当接する（図１４（ｄ）参照）。トレイ９は停止することなく、突出位置ＰＳａに向かって移動するが、各メンバ１５，１７は回動を停止し、ドア１１も移動を停止する。
【０１１１】
トレイ９が、突出位置ＰＳａに到達すると、トレイ９は移動を停止し、この位置を維持する（図２、図６、図１０、図１３（ａ）、図１４（ｅ）参照）。この状態で、ＤＶＤの交換等がユーザによってなされる。
【０１１２】
続いて、ユーザが操作スイッチ９７を再び押すことにより。トレイ９が、突出位置ＰＳａから収容位置ＰＳ０に移動し、これに伴って、ドア１１が収容孔５を閉じる（閉位置Ｐ０に位置する）。
【０１１３】
次に、ユーザが、手動で行うドア１１の開動作について説明する。
【０１１４】
上記初期状態で、ユーザが指をドア１１にかけてドアを下方向に移動し、ドア１１を第１の開位置Ｐ１に位置させる（図３、図７、図１１、図１３（ｃ）参照）。ドア１１は開位置Ｐ１で停止する。ドア１１を閉じるときは、ユーザが指をドア１１にかけてドアを上方向に移動し、ドア１１を閉位置Ｐ０に位置させる。なお、ドア１１が第１の開位置Ｐ１に位置している状態で、トレイ９を移動させてもよい。
【０１１５】
ＤＶＤレコーダ１によれば、ドア支持機構１３によりドア１１が閉位置Ｐ０と第１の開位置Ｐ１との間をほぼ平行に移動するので、ユーザからドア１１の裏面（筐体７に対向しているドア１１の後面）が見えなくなり、ドア１１が開状態にあっても、ＤＶＤレコーダ１の外観が悪化することを防止することができる。また、ドア１１の裏面への仕上げ処理が不要になるので、ドア１１の製造コストを低減することができる。さらに、裏面へ導光板をつけるなどの加工ができるようになる。
【０１１６】
また、従来のようにドア１１が、回動中心軸を中心に回動するのではなく、平行移動することで開閉するので、ドア１１の開閉によるＤＶＤレコーダ１の外観の変化が少なく、良好な外観を維持することができ、加えて、ドア１１が開いたときにおける筐体７からのドア１１の突出量を極力少なくすることができる。
【０１１７】
また、ＤＶＤレコーダ１によれば、トレイ９の移動に連動してドア１１が自動的に開閉するので、トレイ９の動作時におけるドア１１の閉め忘れが無くなり、ＤＶＤレコーダ１の外観を一層良好な状態に保つことができる。
【０１１８】
また、ＤＶＤレコーダ１によれば、第１の開位置Ｐ１に位置しているときドア１１が停止するように、ドア支持機構１３でドア１１を支持しているので、構成の簡素化を果たすべくドア１１を兼用している（トレイ保護用のドアとカードスロット保護用のドアとを兼用している）にもかかわらず、モメリカードの設置や交換を容易にすることができる。
【０１１９】
さらに、ＤＶＤレコーダ１によれば、平行リンク機構１９でドア１１が支持されているので、従来のように、１本の回動中心軸のところでドアを支持している構成に比べて、ドア１１をより堅固に支持することが容易になり、特に補強をすることなく、ユーザの誤操作（たとえば、開状態における誤った下方向の力の付与）によるドア１１やドア支持機構１３の破損を回避することができる。
【０１２０】
また、ＤＶＤレコーダ１によれば、ドア支持機構１３のメンバ１５が上述したように屈曲しているので、ドア１１が閉位置Ｐ０から離れたときにであっても、メンバ１５が見えにくくなり、高級感をかもし出すことができる。
【０１２１】
図１２、図１３を参照して詳しく説明する。図１２（ａ）、図１３（ａ）、図１３（ｃ）は、ドア支持機構１３のメンバ１５が屈曲している場合におけるドア１１の開閉状態を示す図であり、図１２（ａ）ではドア１１が閉位置Ｐ０に位置しており、図１３（ａ）では、ドア１１が第２の開位置Ｐ２に位置しており、図１３（ｃ）では、ドア１１が第１の開位置Ｐ１に位置している。
【０１２２】
図１２（ｂ）、図１３（ｂ）、図１３（ｄ）は、ドア支持機構１３のメンバ１５が直線状に形成されている場合におけるドア１１の開閉状態を示す図であり、図１２（ｂ）ではドア１１が閉位置Ｐ０に位置しており、図１３（ｂ）では、ドア１１が第２の開位置Ｐ２に位置しており、図１３（ｄ）では、ドア１１が第１の開位置Ｐ１に位置している。
【０１２３】
図１３（ａ）、図１３（ｃ）と図１３（ｂ）、図１３（ｄ）とにおけるユーザの目Ｅの視線からわかるように、ドア支持機構１３のメンバ１５が屈曲していることにより、メンバ１５が見えにくくなっている。
【０１２４】
また、ＤＶＤレコーダ１によれば、トレイ９の移動でメンバ１５，１７を回動させる力が小さくなることを防ぐために、ドア用当接部４７の斜面５１の傾斜角度が変化しているので、トレイ９の移動によってドア１１を確実に開くことができる。
【０１２５】
ところで、ＤＶＤレコーダ１のドア支持機構１３では、主バネ２１と補助バネ２３との干渉を避けるために、筐体７の左右方向で主バネ２１と補助バネ２３との取り付け位置を僅かにずらしている。
【０１２６】
詳しく説明すると、図６や図７では、メンバ１５，１７の回動によって（ドア１１の移動によって）、主バネ２１（メンバ側延出部７１の中間部）と補助バネ２３（筐体側延出部７９の先端部）とがお互いに干渉しているように見える。
【０１２７】
しかし、実際には、たとえば図１０で示すように、主バネ２１のメンバ側延出部７１の中間部が、筐体７の壁１０１側に位置しており、補助バネ２３の筐体側延出部７９の先端部が、筐体７の壁１０１から離れた側に位置している。
【０１２８】
さらに詳しく説明すると、補助バネ２３の筐体側延出部７９の先端部は、円柱状に形成されて筐体７に一体的に設けられ筐体７の壁１０１から突出している（軸が筐体７の壁１０１に対して直交するように突出している）補助バネ支持柱１０３で支持されている。補助バネ支持柱１０３には、２つの円環状のクビレ部（小径部）１０５，１０７が形成されている。一方のクビレ部１０５は、補助バネ支持柱１０３の基端側（筐体７の壁１０１側）に設けられており、他方のクビレ部１０７は、補助バネ支持柱１０３の先端側（筐体７の壁１０１から離れた側）に設けられている。
【０１２９】
そして、補助バネ２３の筐体側延出部７９の先端部が、先端側のクビレ部１０７の係合しており、主バネ２１のメンバ側延出部７１の中間部が、基端側のクビレ部１０５に入り込むことにより、主バネ２１と補助バネ２３との干渉や主バネ２１と補助バネ支持柱１０３との干渉が回避されている。
【０１３０】
なお、主バネ２１の筐体側延出部７３の先端部は、補助バネ支持柱１０３と同様に構成された主バネ支持柱１０９の先端側のクビレ部１０７に係合している。また、メンバ１５とメンバ１７とは、左右方向では、ほぼ同じところに位置（ほぼ１つの平面上に存在）している。
【０１３１】
さらに、筐体７の壁１０１には、図１０で示すように、１／４円弧状の突出部１１１が設けられている。この突出部１１１は、壁１０１からごく僅かに突出しており、上記１／４円弧の中心は、メンバ１７の回動中心軸Ｃ２と一致しており、突出部１１１が常にメンバ１７の接触するようになっている。これにより、メンバ１７の動きを安定させることができる。なお、メンバ１７を突出部１１１に接触させることに代えてもしくは加えて、メンバ１５を突出部１１１と同様な突出部に接触させてもよい。
【０１３２】
また、図２１で示すように、一対のメンバ１７（前述したように、筐体７の左側に設けられているメンバ１７と、筐体７の右側に設けられているメンバ１７）をお互いに、連結部９９で連結してもよい。なお、図２１に示すものは、たとえば、１枚の板金素材に打ち抜き加工や折り曲げ加工を施して生成されているものとする。
【０１３３】
このように、一対のメンバ１７をお互いに接続することによって、一対のメンバ１７が同期して回動するようになり、特に、ユーザが手動でドア１１を開くときにドア１１が斜めになること（前後方向に延びている軸を中心にして回動してしまうこと）を防止することができる。
【０１３４】
なお、一対のメンバ１７をお互いに接続することに代えてもしくは加えて、一対のメンバ１５をお互いに接続するようにしてもよい。
【０１３５】
また、図２２で示すように、メンバ１５，１７の長さを代えて、ドア１１が平行移動に近似した移動をするようにしてもよい。すなわち、図２２（ａ）は、メンバ１５，１７の長さを等しくしてドア１１が平行移動する態様を示しているが、図２２（ｂ）、（ｃ）で示すように、メンバ１５とメンバ１７の長さを代えて、ドア支持機構を平行リンク機構に近似した機構にしてもよい。
【０１３６】
さらに、上述した姿勢以外の姿勢にＤＶＤレコーダ１を設置する場合（たとえば、横方向を上下方向とし、左右方向を上下方向とするように、ＤＶＤレコーダ１を立てて設置する場合）に、ドア１１の重量を使用することなく主バネ２１と補助バネ２３とで、ドア11が上述した動作をするようにしてもよい。
【符号の説明】
【０１３７】
１  ＤＶＤレコーダ（電子機器）
３  ドア装置
５  収容孔
７  筐体
９  トレイ（移動体）
１１  ドア
１３  ドア支持機構
１５  第１のメンバ
１７  第２のメンバ
１９  平行リンク機構
２１  主バネ（付勢部材）
４７  ドア用当接部
４９  トレイ用当接部
５１  斜面（ドア用当接部の斜面）
５３  斜面（トレイ用当接部の斜面）
Ｐ０  閉位置
Ｐ１  第１の開位置
Ｐ２  第２の開位置
ＰＳ０  収容位置
ＰＳａ  突出位置
【図１】
2011253581.tif 000003
【図２】
2011253581.tif 000004
【図３】
2011253581.tif 000005
【図４】
2011253581.tif 000006
【図５】
2011253581.tif 000007
【図６】
2011253581.tif 000008
【図７】
2011253581.tif 000009
【図８】
2011253581.tif 000010
【図９】
2011253581.tif 000011
【図１０】
2011253581.tif 000012
【図１１】
2011253581.tif 000013
【図１２】
2011253581.tif 000014
【図１３】
2011253581.tif 000015
【図１４】
2011253581.tif 000016
【図１５】
2011253581.tif 000017
【図１６】
2011253581.tif 000018
【図１７】
2011253581.tif 000019
【図１８】
2011253581.tif 000020
【図１９】
2011253581.tif 000021
【図２０】
2011253581.tif 000022
【図２１】
2011253581.tif 000023
【図２２】
2011253581.tif 000024